(57)【要約】【課題】高架橋に発生する騒音を効果的に遮音して高い遮音効果を発揮することができ、部品点数が増えることなく全体をコンパクト化し、簡単な取付け構造でありながら、既存の高架橋にも容易に高い遮音性を発揮させながら取付けることができ、しかも、メンテナンスや交換を定期的に行う必要のない高架橋の遮音構造を提供すること。【解決手段】高架橋１の裏面側に適宜の間隔で複数の横梁３０を略平行に取付け、この横梁３０の間に遮音性を有する長尺状の遮音部材１１を順次挟持して略平面状に構成し、遮音部材１１は、一枚の薄板を所定の角度で曲折して音源側を開口させた多面体１２からなり、音源より入った音波を多面体１２により互いに干渉させて騒音を低減させるようにした高架橋の遮音構造である。【選択図】      図２
0003124461.tif 000002
【実用新案登録請求の範囲】
【請求項１】
高架橋の裏面側に適宜の間隔で複数の横梁を略平行に取付け、この横梁の間に遮音性を有する長尺状の遮音部材を順次挟持して略平面状に構成し、前記遮音部材は、一枚の薄板を所定の角度で曲折して音源側を開口させた多面体からなり、音源より入った音波を前記多面体により互いに干渉させて騒音を低減させるようにしたことを特徴とする高架橋の遮音構造。
【請求項２】
前記横梁は、Ｈ形鋼を用い、このＨ形鋼のフランジ間に遮音部材の両端部に形成した挟持部を挟持させて前記遮音部材を固着した請求項１記載の高架橋の遮音構造。
【請求項３】
前記挟持部は、前記遮音部材の両端に切欠部を設けることで形成され、この切欠部によって前記挟持部を前記Ｈ形鋼のフランジ間に挿入可能な幅に設け、この挟持部を前記フランジ間に挿入して挟着した請求項２記載の高架橋の遮音構造。
【請求項４】
前記遮音部材の各曲折部の曲折角度を１４２°に曲折して前記多面体を構成した請求項１乃至３の何れか１項に記載の高架橋の遮音構造。
【請求項５】
前記高架橋と横梁の間に、適宜の厚さに設けたエラストマー等の弾性体を配設し、この上から鋼板等の保持部材で覆って前記弾性体を保持した請求項１乃至４の何れか１項に記載の高架橋の遮音構造。
【考案の詳細な説明】
【技術分野】
【０００１】
本考案は、主として高速道路等の高架橋の裏面側に遮音部材を取付け、この遮音部材によって外部の騒音を遮音するようにした高架橋の遮音構造に関する。
【背景技術】
【０００２】
従来より、例えば、高架道路の下方に一般の道路が併設された立体式の構造の道路では、高架道路の裏面側に一般道路を走行する車両から生じる騒音が反射して、周辺に大きな騒音を生じることがある。これを防ぐため、高架道路の裏面側に吸音性を有する吸音パネルを取付け、この吸音パネルにより一般道路からの騒音を吸収して低減させるようにしたものがある。
【０００３】
この種のパネル取付構造として、例えば、特許文献１の吸音材及びその取付構造がある。この取付構造は、橋脚間のＩ桁下面にその長さ方向に沿って吊部材を介して縦梁を取り付け、この縦梁に横梁を取付け、横梁に吸音板を設けている。
吸音板は、長さ方向を横梁に直交させた状態で取付けられ、締付ボルトとナットによって横梁に締結される。吸音板を取付ける際には、吸音板にボルトを取付けた状態で、この吸音板を横梁の位置まで持ち上げて横梁に対して位置決めし、この状態でボルトを横梁に形成した長孔に挿通させ、次いで、ボルトにナットをねじ込むことによって固着して、吸音板の取付け位置を調節しながら吸音部位を設けている。
【０００４】
この取付構造における吸音板は、アルミニウム製の背面板、左右側面板、多孔表面板、及び、撥水グラスウール製吸音材から構成され、板の内部に吸音材を装填して吸音板が構成される。騒音が発生すると、この騒音は、多孔表面板の孔から内部の吸音材に吸収されて遮音される。
【０００５】
また、特許文献２の高架構造物の桁裏面へのパネルの取付方法は、高架構造物の裏面側に設けられた桁材に複数の長方形状のパネルを取付けて防音性を持たせている。
パネルは、長尺方向が桁材と交差する向きに取付けられ、このパネルに一体に取付けられたパネル支持材を介して桁材に固定される。パネルを取付ける際には、先ず、パネルを所定の高さまで持ち上げ、この状態でパネル支持材の横部材を桁材のフランジ部の上面まで移動してパネル支持材でパネルを吊り下げるようにして桁材に仮固定し、次いで、取付ボルトや溶接により本固定している。このように、パネルをパネル支持材によって個別に取付けながら並列して防音部位を設けている。
【０００６】
防音パネルは、金属繊維等の集合体やセラミック等の粉末焼結体からなる吸音材や、多数の開孔を有する前面板と背面板で形成される中空パネル内に吸音材が内装されたものや、或は、吸音性を有する筒体や半筒体を配列したものからなっている。
【特許文献１】特開２００４−１５６３９２号公報
【特許文献２】特開２００４−５２３８２号公報
【考案の開示】
【考案が解決しようとする課題】
【０００７】
しかしながら、特許文献１や２の防音構造は、高架道路下方側の一般道路の車両等からの騒音を吸音することはできるものの、高架道路上を走行する車両等からの騒音を遮音することは考慮されていなかった。これらの防音構造は、高架道路上を車両等が走行して騒音が発生すると、この騒音の一部が高架道路の両側に設けられた防音壁の外表面を伝わって高架道路下まで伝わり、この騒音と一般道路からの騒音との相乗効果によってより大きな騒音が発生することがあった。しかも、高架道路には道路の継ぎ目があるため、車両がこの継ぎ目を通過したときに大きな振動が発生し、この振動に伴って一層大きな騒音が周囲に伝わることがあった。
これらを防ぐためには、通常は、防音壁の高さをアップしたり、防音壁に吸音材を取付けたり、防音壁の上部付近に巻き込み形状等の特殊な形状の防音装置を別途設けるようにする必要があった。
【０００８】
また、特許文献１の吸音板の取付構造は、Ｉ桁に吸音材を取付けるために吊部材、縦梁・横梁、ボルト・ナットを必要とし、取付けに要する部品点数が多くなっていた。その上、取付け構造が複雑であり、取付け作業時には吸音板を１枚ずつ位置決めしながら取付けているため、作業に手間がかかるという問題もあった。また、作業時には、広い設置空間と作業スペースが必要になっていた。
【０００９】
吸音板は、多数の面板によって構成されるため構造が複雑であると共に、この面板の加工に手間を要していた。さらに、内部に吸音材を設けているため、重量が重くなって取付け作業が難しくなるという問題に加えて、この吸音材は、雨水や車両から発生する排気ガスなどによって汚れたり劣化して吸音効果が減少するため交換しなければならず、このため、定期的にメンテナンスを行う必要があった。
【００１０】
一方、特許文献２におけるパネルの取付方法は、パネルを桁材に取付けるためのパネル支持材が必要になり、このパネル支持材を取付けるためのボルトも必要になっていた。パネル側には、パネル支持材を取付けるための取付溝を形成する必要があり、この取付溝内を取付ボルトが摺動するために加工精度を要していた。取付け時においては、パネルごとにパネル支持材を位置調整して取付けなければならず、作業に時間を要していた。
また、防音パネルは、細部の形状や具体的な防音機能が記載されておらず、このパネルによって大きな防音効果が期待できるものではない。
【００１１】
本考案は、上記従来の課題に鑑みて鋭意研究の結果開発に至ったものであり、その目的とするところは、高架橋に発生する騒音を効果的に遮音して高い遮音効果を発揮することができ、部品点数が増えることなく全体をコンパクト化し、簡単な取付け構造でありながら、既存の高架橋にも容易に高い遮音性を発揮させながら取付けることができ、しかも、メンテナンスや交換を定期的に行う必要のない高架橋の遮音構造を提供することにある。
【課題を解決するための手段】
【００１２】
上記の目的を達成するために、請求項１に係る考案は、高架橋の裏面側に適宜の間隔で複数の横梁を略平行に取付け、この横梁の間に遮音性を有する長尺状の遮音部材を順次挟持して略平面状に構成し、遮音部材は、一枚の薄板を所定の角度で曲折して音源側を開口させた多面体からなり、音源より入った音波を多面体により互いに干渉させて騒音を低減させるようにした高架橋の遮音構造である。
【００１３】
請求項２に係る考案は、横梁は、Ｈ形鋼を用い、このＨ形鋼のフランジ間に遮音部材の両端部に形成した挟持部を挟持させて遮音部材を固着した高架橋の遮音構造である。
【００１４】
請求項３に係る考案は、挟持部は、遮音部材の両端に切欠部を設けることで形成され、この切欠部によって挟持部をＨ形鋼のフランジ間に挿入可能な幅に設け、この挟持部をフランジ間に挿入して挟着した高架橋の遮音構造である。
【００１５】
請求項４に係る考案は、遮音部材の各曲折部の曲折角度を１４２°に曲折して多面体を構成した高架橋の遮音構造である。
【００１６】
請求項５に係る考案は、高架橋と横梁の間に、適宜の厚さに設けたエラストマー等の弾性体を配設し、この上から鋼板等の保持部材で覆って弾性体を保持した高架橋の遮音構造である。
【考案の効果】
【００１７】
請求項１に係る考案によると、高架橋の下方側から発生する騒音はもとより、この高架橋上を走行する車両等の騒音も効果的に遮音することで高い遮音効果を発揮でき、部品点数が増加することなく全体をコンパクト化し、簡単な構造でありながら、既存の高架橋にも容易に高い遮音性を発揮させて取付けることができ、しかも、メンテナンスや交換を定期的に行う必要の無い高架橋の遮音構造である。
【００１８】
請求項２及び３に係る考案によると、横梁に対して簡単に遮音部材を取り付けて遮音構造を構成することができ、しかも、Ｈ形鋼の長さを変えることによって取付ける遮音部材を増減して異なる橋幅にも対応させることができる。更に、遮音部材の挟持部の幅をその場で変更することができるため、Ｈ形鋼のフランジ間の寸法が変わった場合でも挟持部の寸法を調節し、Ｈ形鋼に対して遮音部材を確実に装着することができる高架橋の遮音構造である。
【００１９】
請求項４に係る考案によると、最も効果的に騒音を低減することができ、高い遮音性を発揮できる高架橋の遮音構造である。しかも、簡単に形成でき、吸音材を用いることもないため材料費や加工費などのコストを削減することもできる高架道路の遮音構造である。
【００２０】
請求項５に係る考案によると、特に、高架橋を走行する車両等から発生する騒音を減少させることができ、高速道路などに設けられる道路の継ぎ目などによる段差を車両が走行する際に効果を発揮して、床板に直に伝わる衝撃や騒音を吸収し、床板裏面側への音抜けを防止できる高架橋の遮音構造である。
【考案を実施するための最良の形態】
【００２１】
本考案における高架橋の遮音構造の好ましい実施形態を図面に従って説明する。
図１において、高架橋１は、例えば、高速道路等の高架道路であり、自動車等の車両が走行するコンクリート床板２と、この床板２を含む高架橋１全体を地面から高い位置に支承するための橋脚３を有している。
高架橋１の裏面側には、図２及び３に示すように、複数の横梁３０を、本実施形態においては、約２０００ｍｍの間隔で道路に対して交差する向きに略平行に取付け、この横梁３０の間に遮音性を有する長尺状の遮音部材１１を取付けている。横梁３０の間隔は、使用する遮音部材１１の長尺方向の長さによって適宜に変更してもよく、また、本例における横梁３０は、Ｈ形鋼を用いており、このＨ形鋼３０のフランジ３１部分を床板２に対して、例えば、図示しない固着ボルト等の固着手段で固着している。
【００２２】
図６のように、遮音部材１１は、横梁３０、３０の間に順次挟持させるようにし、この遮音部材１１を並設して略平面状の遮音部１０を構成している。遮音部材１１を挟持する際には、Ｈ形鋼３０のフランジ３１、３１間に遮音部材１１の両端部に形成した後述する挟持部１３を挟持させて固着するようにしている。又は、Ｈ形鋼３０の代わりに隣接する遮音部材１１、１１を接続可能であって、且つ、遮音部材１１の落下を防止する構造によって図示しない接続部材を設け、この接続部材により遮音部材１１、１１を接続すれば、軽量化を図ることができる。
【００２３】
遮音部材１１は、例えば、アルミを材料として長尺状の一枚の薄板を形成し、これをプレス加工によって成形加工して長尺状の多面体形状に構成している。プレス加工によって形成される各曲折部１５の曲折角度は、それぞれ１４２°であり、これにより、図２、図７に示される面部１２ａ、１２ｂ、１２ｃ、１２ｄ、１２ｅ、１２ｆを有する多面体１２が構成される。遮音部材１１の成形加工時には、この遮音部材１１を構成する鋼板の厚さを約１．８ｍｍ、長さをＨ形鋼３０の間隔である２０００ｍｍに形成している。また、曲折部１５を形成した後の開口部位の幅は２００〜５００ｍｍにより形成し、高さは１２７〜２６５ｍｍの範囲の適宜の寸法に設ける。
【００２４】
図２及び図３に示すように、遮音部材１１の一端側には長さ方向に適宜数の連通孔１１ａを設け、この連通孔１１ａにリベット等の固着具４０を介して係止部材４１を取付けている。係止部材４１は、断面略Ｗ形状に形成しており、遮音部材１１への取付け後に、下方側から吸音部材４２を支承可能な係止部４１ａを曲折して設けている。また、係止部材４１の長尺方向の長さは、遮音部材１１と略同じに設けている。
【００２５】
吸音部材４２は、一端側を係止部４１ａの上方側から載置するように取付け、他端側を面部１２ｆとの間に挟着した状態でこの他端側を図示しないボルト等の適宜の固着手段で固着している。これにより、吸音部材４２は、遮音部材１１の開口部側を被覆するように取付けられている。
【００２６】
吸音部材４２は、例えば、シリコン系ゴム、及び撥水ガラス・クロスを組み合わせて設けており、遮音部材１１に対して騒音が反射したときに、この反射音を吸音して反射音として外部に漏れるのを防ぎ、騒音を最小に抑えることができる。また、吸音部材４２は、これ以外の各種の材料によって形成することができる。吸音部材４２は、例えば、６〜２０ｍｍまでの適宜の厚さに設けることが望ましいが、これ以外にも、発生する騒音の大きさや騒音の進入角度の傾向などによって適宜の厚さに設けることもできる。一方、反射音が少ない場合には、吸音部材を省略することもできる。
【００２７】
図５、図７に示すように、遮音部材１１の両端部には挟持部１３を形成している。この挟持部１３は、遮音部材１１の両端に切欠部１４を設けることによって形成され、この切欠部１４は、挟持部１３の幅Ｗ１がＨ形鋼３０のフランジ３１、３１間の幅Ｗ２よりもやや小さくなるように長さＬ１によって切欠き、切欠部１４によって挟持部１３をＨ形鋼３０のフランジ３１、３１間に挿入可能な幅に設けている。
【００２８】
一方、切欠部１４の長尺方向の長さＬ２は、フランジ３１に挟持部１３を取付け可能な長さに設定すればよいが、望ましくは若干の余裕を持たせるようにするとよい。これにより、平行に並べたＨ形鋼３０、３０の間隔に寸法誤差があったとしても、この誤差を吸収して遮音部材１１を確実に取付けできる。また、切欠部１４により、遮音部材１１を取付けた後に長さ方向の位置決めがなされ、Ｈ形鋼３０に対してぐらつくのを防止することができる。
【００２９】
遮音部材１１の取付け時には、両端の挟持部１３、１３をそれぞれフランジ３１、３１間に挿入して挟持させるようにし、この遮音部材１１をＨ形鋼３０、３０間に順次挟持して高架橋１の幅等に応じた幅寸法の遮音部１０を構成する。取付け後の遮音部材１１は、挟持部１３がフランジ３１、３１間に挟着されることでＨ形鋼３０に対して上下方向に位置決めされる。
また、遮音部材１１を並設したときに、図２のように左右の遮音部材１１、１１の曲折部１５、１５が当接し合うことで、水平方向の位置決めがなされる。このように、各遮音部材１１は、Ｈ形鋼３０に対して上下左右方向に位置決めされた状態で取り付けられ、高架橋１の裏面側に遮音部１０が平面状に構成される。
【００３０】
遮音部材１１は、多面体１２の開口側を音源側に向けて取付けることで、音源より入った音波を多面体１２の面部１２ａ、１２ｂ、１２ｃ、１２ｄ、１２ｅ、１２ｆにより互いに干渉させて騒音を低減させるようにしている。
【００３１】
遮音部材１１の一端側には、長尺方向に沿って曲折部１５の曲折方向と反対向きに曲折して曲部１６を形成している。この曲部１６には、図２のように遮音部材１１を左右に並設したときに他の遮音部材１１の係止部材４１が当接することにより、隣接する遮音部材１１、１１によって生じる開口部分を塞いでいる。
【００３２】
曲部１６と隣接する遮音部材１１の面部１２ａとの間には、図３のように、エラストマー等の弾性部材１７を装入するのが望ましい。この場合、弾性部材１７は、曲折部１５と曲部１６との間に装入可能な断面形状に形成し、遮音部材１１の長さに合わせて長尺状に形成するか、又は、短く形成して適宜の間隔で装入するのがよい。
また、曲部１６は省略することもでき、この場合には、曲部１６の代わりに図示しないキャップを設け、このキャップによって左右の遮音部材１１、１１の開口部位を被蓋するとよい。
【００３３】
また、曲折部１５、１５の間には、図示しない弾性体からなる緩衝材を介在させるようにしてもよく、この場合、左右の遮音部材１１、１１がこの緩衝材を介して寸法誤差を吸収した状態でより確実に位置決め固定される。
【００３４】
さらに、図７において、遮音部材１１の取付け方向における左右端部付近の適宜位置に貫通孔１９、１９を形成してもよく、この貫通孔１９、１９に図のような連結紐状材２０を挿通してもよい。連結紐状材２０は、細状のカーボンを設け、このカーボン材をより合わせることでワイヤー状に形成することによって形成すればよい。
【００３５】
連結紐状材２０を挿通する場合には、一端側の遮音部材１１から他端側の遮音部材１１までの各貫通孔１９を続けて通し、また、連結紐状材２０に予め図に示すような拡径部２０ａを形成しておくことにより、この連結紐状材２０の抜けを防ぎながら張設した状態で取付けることができ、連結紐状材２０によって並設した遮音部材１１を一体に保持することができる。
【００３６】
また、遮音部材の貫通孔１９、１９の間にパイプ部材２１を介在した状態で固着してもよく、この場合、連結紐状材２０を一方の貫通孔１９から挿入したときに、このパイプ部材２１がガイドの役割を果たして他方の貫通孔１９から容易に連結紐状材２０を挿通することができる。
さらに、図示しないが、パイプ部材を、並設する遮音部材１１全体の長さと同じ長さに設けておき、遮音部材１１に対してこのパイプ部材を一度に取付けるようにしてもよい。これにより、一端側の遮音部材１１の貫通孔１９から他端側の遮音部材１１の貫通孔１９まで連結紐状材２０を一度に通すことができ、より簡単に連結紐状体２０の挿通を行うことができる。
【００３７】
さらには、並設した遮音部材１１の貫通孔１９に連結紐状材２０を通した後に、この連結紐状材２０をＨ形鋼３０を跨ぐようにして、隣接する並設した遮音部材１１の貫通孔１９に通して、連結紐状材２０を略Ｕ字状の状態で張設した状態で端部の抜けを防止するようにすれば、１本の連結紐状材２０で２ヶ所の並設した遮音部材１１の保持を行うことができ、取付け作業の簡略化が図れる。
【００３８】
さらに、図７のように、遮音部材１１の両端部に、スポット溶接等の手段により塞板１８を固着し、塞板１８によって挟持部１３の端部側を塞ぐようにしてもよく、この場合、端部側からの音漏れを防ぐことができる。また、塞板１８を固着した場合、遮音部材１１の両端が補強されることにより歪むのを防ぐことができる。
【００３９】
遮音部材１１は、多面体形状であれば上記の形状以外に設けることもでき、例えば、Ｈ形鋼３０の間隔に対応させるように長さを変更したり、或は、強度を増すために厚さを変更したり、又は、幅や高さを変更することもできる。また、加工手段としては、プレス成形以外にも、押出し成形、或は引抜き成形等の別の成形手段で加工してもよい。
【００４０】
また、遮音部材１１は、切欠部１４を形成することによって挟持部１３を形成するようにしているため、この切欠部１４の切欠き寸法を変更することにより挟持部１３の寸法を変えることができる。挟持部１３の寸法を変更できることにより、例えば、フランジ３１の長さの異なるＨ形鋼３０にも取付けが可能になる。挟持部は、Ｈ形鋼３０のフランジ３１、３１の間に挟持できる形状であれば、切欠部１４を設ける以外の手段によって形成してもよく、この形成手段が上記に限定されることはない。
【００４１】
遮音部材１１は、挟持部１３以外の部分を音源側に張り出させることもでき、図２において、面部１２ａ、１２ｆ側を延設して遮音部位を全体に大きく形成することもできる。
また、遮音部材１１は、アルミを材料として用いているが、アルミ以外の金属材料によって鋼板を形成したり、又は、樹脂材料等を用いるようにしてもよい。例えば、塩化ビニール等のプラスチックを材料と用いれば、軽量化を図ることができる。また、この場合、特に透明や半透明のプラスチックを用いることで視認性を向上させることができ、周囲の眺望をよくすることができると共に、この遮音部材を通して採光することもできる。
また、本例においては、横梁３０として、汎用的であるという理由からＨ形鋼を用いているが、この横梁３０は、Ｈ形鋼に拘ることなく挟持部１３の形状に対応して適宜形成することができる。
【００４２】
図４においては、図２におけるＡ−Ａ線端面を示しており、特に、床板２の端部２ａ付近を示したものである。一般に高架橋における床板２は、適宜の長さによってユニット化され、これを橋脚３の上で接続するようにしている。床板２は、気温の変化等によって伸縮する特性があり、特に、伸長した場合には破壊するおそれがあるため、図４のように、予め端部２ａ、２ａを離間させた状態に施工している。
【００４３】
本実施形態においては、端部２ａ、２ａを塞ぐようにエラストマー等の弾性体３５を設け、さらにこの上から弾性体３５を嵌め込み可能な薄板状の保持部材３６により保持し、ボルトからなる取付部材３７によってこれらを取付けている。取付部材３７は、一方側を保持部材３６の上から保持し、他方側を図示しない適宜の手段で保持するように取付け、弾性体３５と保持部材３６によって端部２ａ、２ａの間に生じる隙間を被蓋している。これにより、この隙間から騒音が抜けるのを防ぐことができ、高い防音効果を発揮することができる。
【００４４】
本例においては、弾性体３５の厚さを約６ｍｍとし、この弾性体３５の上から、厚さ約２ｍｍのスーパーダイマ鋼板（登録商標）を保持部材３６として用いて保持しているが、これらはこれ以外の適宜の形態にも設けることができる。スーパーダイマ鋼板は、アルミニウム、マグネシウム、シリコンを含んだ溶融亜鉛めっきを施した鋼板であり、特に、この鋼板を用いた場合には、耐食性と加工性に優れた特性を発揮することができる。保持部材３６は、これ以外の種類の鋼板や、或は他の形態の保持部材であってもよく、例えば、図示しない網材を保持部材として用いるようにしてもよい。
【００４５】
次に、本考案の高架橋の遮音構造における上記の実施形態の作用を説明する。
本考案の高架橋の遮音構造は、裏面側に適宜の間隔で複数の横梁３０を略平行に取付け、この横梁３０の間に遮音性を有する長尺状の遮音部材１１を順次挟持して略平面状の遮音部１０を設けており、一般道路側から騒音（音波）が発生すると、この音波は面状の遮音部１０まで到達する。
【００４６】
遮音部１０を構成する各遮音部材１１は、一枚の薄板を所定の角度で曲折して音源側を開口させた多面体１２によって構成しているので、図８のように、遮音部材１１の方向に騒音である音波が進むと、この音波は、多面体１２を構成している面部１２ａ、１２ｂ、１２ｃ、１２ｄ、１２ｅ、１２ｆ側に進む。各面部１２ａ、１２ｂ、１２ｃ、１２ｄ、１２ｅ、１２ｆに到達した音波は、この面部１２ａ、１２ｂ、１２ｃ、１２ｄ、１２ｅ、１２ｆによって反射するが、各面部１２ａ、１２ｂ、１２ｃ、１２ｄ、１２ｅ、１２ｆには曲折部１５によって角度が設けられているため、矢印に示すように、遮音部材１１の断面略中央付近に集束するように集まり、集まった音波を互いに干渉させて打消し合わせることができ、これにより遮音効果が発揮される。特に、曲げ角度を１４２°で形成しているため、高周波・低周波の騒音を効果的に打ち消すことができる。
【００４７】
一方、高架橋（高架道路）１側から騒音が発生すると、この騒音は防音壁４によって消音されるが、騒音の一部は、防音壁４の外表面を伝わって外に漏れようとする。しかし、この騒音が高架橋１の外表面から裏面側まで到達したときに、この伝達した音波を各遮音部材１１の開口部側から進入させて、高架橋の下方側から発生する騒音を遮音する場合と同様に、遮音部材１１の断面中央付近に集束させて打ち消すことができる。
【００４８】
このように、遮音部材１１を、面部１２ａ、１２ｂ、１２ｃ、１２ｄ、１２ｅ、１２ｆを設けた多面体１２によって構成していることにより、一般道路側からの騒音に加えて高架橋を走行する車両等の騒音を低減でき、しかも、多重回折、音波の干渉、及び反射音の封じ込め等の原理を応用した多面体１２を用いて互いに音波を干渉させることにより、効果的に騒音を低減して高い遮音効果を発揮することができる。
このため、高架橋１側の騒音に対して、防音壁の高さをアップしたり、別の防音部位を設けたりすることなく確実に騒音を低減することできる。
【００４９】
遮音部材１１の取付け時においては、床板２の裏面側にＨ形鋼３０を取付け、このＨ形鋼３０のフランジ３１、３１間に挟持部１３を挟持するだけで取付けることができるため、取付けに要する部品点数を少なくでき、簡単な取付け構造によって設けることができる。しかも、Ｈ形鋼３０に対してフランジ３１側から横方向にスライドさせるようにして遮音部材１１を取付ければよいため、広い作業スペースを必要とすることなく容易に取付け作業を行うことができる。
遮音部材１１の取付け後には、遮音部材１１が平面状に並設されて遮音部１０が設けられるため、全体をコンパクトにできる。
【００５０】
遮音部材１１は、プレス成形や押出し、又は引抜き成形によって加工できるため、複雑な加工を要することなく安価に大量生産することができる。しかも、成形時に長さ方向の寸法を任意に変更できるため、Ｈ形鋼３０の取付け間隔の変更に対応することができる。
【００５１】
さらに、遮音部材１１を曲折部１５によって断面略半円形状に設けているため、遮音性を向上させつつ小型化でき、騒音の発生側である車道側に殆ど突出させることなく設けて省スペース化を実現できる。
【００５２】
また、グラスウール等の吸音材を使用していないため、重量を軽くでき作業性の向上を図れ、雨水や排気ガスなどによって汚れたり劣化したりするおそれもなく、メンテナンス等を必要とすることなく高い遮音性能を長期に渡って維持することができる。さらに、遮音部材１１が破損した場合においては、産業廃棄物として処分することなく安価に処分でき、リサイクルも可能となる。
【図面の簡単な説明】
【００５３】
【図１】本考案における高架橋の遮音構造の一例を示した断面図である。
【図２】図１の要部拡大図である。
【図３】図２の一部拡大図である。
【図４】図２のＡ−Ａ線端面拡大図である。
【図５】図２の側面図である。
【図６】図１の拡大底面図である。
【図７】遮音部材の要部を示した斜視図である。
【図８】遮音部材による遮音作用を示した原理説明図である。
【符号の説明】
【００５４】
１  高架橋
２  床板
１１  遮音部材
１２  多面体
１３  挟持部
１４  切欠部
１５  曲折部
３０  Ｈ形鋼（横梁）
３１  フランジ
３５  弾性体
３６  保持部材
４２  吸音部材
【図１】
0003124461.tif 000003
【図２】
0003124461.tif 000004
【図３】
0003124461.tif 000005
【図４】
0003124461.tif 000006
【図５】
0003124461.tif 000007
【図６】
0003124461.tif 000008
【図７】
0003124461.tif 000009
【図８】
0003124461.tif 000010